(57)【要約】【課題】拠点毎に設置された画像出力装置から出力される出力物の測定を行う測色計の測定値の誤差に基づき、前記画像出力装置に用いられるプロファイルの内容を更新することで、前記画像出力装置の色調整を行うことができる色管理システム及びその色管理方法を提供する。【解決手段】補正式導出部１ｃは、基準となる測色計Ｓ０と各拠点に配置された測色計Ｓ１〜Ｓ３による測色計補正用カラーチャートＰの測定値から測色計Ｓ１〜Ｓ３による測定値を基準となる測色計Ｓ０による測定値に近似させる補正式を導出し、算出部１ｄは、その補正式により補正された測色計Ｓ１〜Ｓ３による出力装置Ｃ１〜Ｃ３の出力物の測定値と測色計Ｓ０によるそれらの出力物の測定値との誤差を算出し、更新部１ｅは、その誤差が補正されるように出力装置Ｃ１〜Ｃ３において出力物を出力した際に用いられたプロファイルの内容を更新する。【選択図】      図１
2004357162.tif 000002
【特許請求の範囲】
【請求項１】
拠点毎に設置された画像出力装置から出力される出力物の測定を行う測色計の測定値の誤差を取得し、前記誤差を基に前記画像出力装置の各々において用いられるプロファイルを更新することで、前記画像出力装置の各々の色調整を行うことができる色管理システムであって、
前記拠点毎に配置され、前記測色計により測定された出力物の出力物測定値と、前記測色計により測定された色見本の色見本測定値を送信すると共に、前記画像出力装置において前記出力物を出力する際に用いられるプロファイルを送受信する端末装置と、
基準となる測色計により測定された前記出力物の測定値を出力物基準値とし、前記基準となる測色計により測定された前記色見本の測定値を色見本基準値として、予め、格納する格納手段と、前記色見本測定値を受けて、これを前記色見本基準値に近似させる補正を行う補正式を導出する補正式導出手段と、前記出力物測定値を受けて、これを前記補正式導出手段により導出された補正式に基づき補正する補正手段と、前記補正された出力物測定値と、前記格納手段に格納された測定物基準値との誤差を算出する算出手段と、前記算出された誤差に基づいて、前記端末装置より受けたプロファイルを補正し、更新するプロファイル更新手段と、前記更新されたプロファイルを当該プロファイルを送信した端末装置へ送信する更新プロファイル送信手段と、を有する管理サーバーと、を備えたことを特徴とする色管理システム。
【請求項２】
前記補正式導出手段は、前記補正式として、前記色見本測定値と、前記色見本基準値とをＸＹＺ表色系におけるＸ、Ｙ、Ｚの三刺激値にて表現するものを導出することを特徴とする請求項１記載の色管理システム。
【請求項３】
前記管理サーバーは、前記補正式導出手段により導出された補正式を、前記端末装置の内、該当するものに送信する補正式送信手段をさらに備え、
前記端末装置の各々は、前記補正式送信手段から送信された補正式を受けて、これを表示する補正式表示手段をさらに備えたことを特徴とする請求項１又は請求項２に記載の色管理システム。
【請求項４】
前記端末装置の各々は、当該端末装置と接続された前記画像出力装置より当該画像出力装置が前記出力物を出力する際に用いたプロファイルを読み出すプロファイル読出手段と、当該端末装置と接続された前記画像出力装置の当該画像出力装置が前記出力物を出力する際に用いたプロファイルを前記更新されたプロファイルに書き替えるプロファイル書替手段と、をさらに備えたことを特徴とする請求項１乃至請求項３の何れか一項に記載の色管理システム。
【請求項５】
拠点毎に設置された画像出力装置から出力される出力物の測定を行う測色計の測定値の誤差を取得し、前記誤差を基に前記画像出力装置の各々において用いられるプロファイルを更新することで、前記画像出力装置の各々の色調整を行うことができる色管理方法であって、
前記プロファイルを更新する管理サーバーにて、基準となる測色計により測定された前記出力物の測定値を出力物基準値とし、前記基準となる測色計により測定された色見本の測定値を色見本基準値として、これらが予め格納される格納ステップと、
前記拠点毎に配置された端末装置の各々にて、前記測色計により測定された色見本の色見本測定値を送信する色見本測定値送信ステップと、
前記管理サーバーにて、前記色見本測定値を受けて、これを前記色見本基準値に近似させる補正を行う補正式を導出する補正式導出ステップと、
前記端末装置の各々にて、前記測色計により測定された前記出力物の出力物測定値を送信する出力物測定値送信ステップと、
前記管理サーバーにて、前記出力物測定値を受けて、これを前記導出された補正式に基づき補正する補正ステップと、前記補正された出力物測定値と、前記格納ステップにおいて格納された測定物基準値との誤差を算出する算出ステップと、
前記端末装置の各々にて、前記画像出力装置において前記出力物を出力する際に用いられるプロファイルを送信するプロファイル送信ステップと、
前記管理サーバーにて、前記算出された誤差に基づいて、前記端末装置より受けたプロファイルを補正し、更新するプロファイル更新ステップと、前記更新されたプロファイルを当該プロファイルを送信した端末装置へ送信する更新プロファイル送信ステップと、を含むことを特徴とする色管理方法。
【請求項６】
前記補正式導出ステップでは、前記補正式として、前記色見本測定値と、前記色見本基準値とをＸＹＺ表色系におけるＸ、Ｙ、Ｚの三刺激値にて表現するものを導出することを特徴とする請求項５記載の色管理方法。
【請求項７】
前記管理サーバーにて、前記補正式導出ステップにおいて導出された補正式を、前記端末装置の内、該当するものに送信する補正式送信ステップと、
前記端末装置の各々にて、前記補正式送信ステップにおいて送信された補正式を受けて、これを表示する補正式表示ステップと、をさらに含むことを特徴とする請求項５又は請求項６に記載の色管理方法。
【請求項８】
前記端末装置の各々にて、当該端末装置と接続された前記画像出力装置より当該画像出力装置が前記出力物を出力する際に用いたプロファイルを読み出すプロファイル読出ステップと、当該端末装置と接続された前記画像出力装置の当該画像出力装置が前記出力物を出力する際に用いたプロファイルを前記更新されたプロファイルに書き替えるプロファイル書替ステップをさらに含むことを特徴とする請求項５乃至請求項７の何れか一項に記載の色管理方法。
【請求項９】
拠点毎に設置された画像出力装置から出力される出力物の測定を行う測色計の測定値の誤差を、前記拠点毎に配置された端末装置から受けて、前記誤差を基に前記画像出力装置の各々において用いられるプロファイルを管理サーバーにおいて更新することで、前記画像出力装置の各々の色調整を行うことができる色管理方法であって、
基準となる測色計により測定された前記出力物の測定値を出力物基準値とし、前記基準となる測色計により測定された色見本の測定値を色見本基準値として、これらが予め格納される格納ステップと、
前記端末装置の各々から、前記測色計により測定された色見本の色見本測定値を受けて、これを前記色見本基準値に近似させる補正を行う補正式を導出する補正式導出ステップと、
前記端末装置の各々から、前記測色計により測定された前記出力物の出力物測定値を受けて、これを前記導出された補正式に基づき補正する補正ステップと、
前記補正された出力物測定値と、前記格納ステップにおいて格納された測定物基準値との誤差を算出する算出ステップと、
前記端末装置の各々から、前記画像出力装置において前記出力物を出力する際に用いられるプロファイルを受けて、前記算出された誤差に基づいて、前記端末装置の各々から受けたプロファイルを補正し、更新するプロファイル更新ステップと、
前記更新されたプロファイルを当該プロファイルを送信した前記端末装置の各々へ送信する更新プロファイル送信ステップと、を含むことを特徴とする色管理方法。
【請求項１０】
前記補正式導出ステップでは、前記補正式として、前記色見本測定値と、前記色見本基準値とをＸＹＺ表色系におけるＸ、Ｙ、Ｚの三刺激値にて表現するものを導出することを特徴とする請求項９記載の色管理方法。
【請求項１１】
前記補正式導出ステップにおいて導出された補正式を、前記端末装置の内、該当するものに送信する補正式送信ステップをさらに含むことを特徴とする請求項９又は請求項１０に記載の色管理方法。
【発明の詳細な説明】
【０００１】
【発明の属する技術分野】
本発明は、拠点毎に設置された画像出力装置から出力される出力物の測定を行う測色計の測定値の誤差を取得し、前記誤差を基に前記画像出力装置の各々において色変換処理を行う際に用いられるファイル、即ち、色変換に関する情報が記述されたプロファイルの内容を更新することで、前記画像出力装置から出力される出力物の色彩や濃度を一致させる色調整を行うことができる色管理システム及びその色管理方法に関する。
【０００２】
【従来の技術】
例えば、印刷物の仕上がりを事前に確認するためにカラープルーフを出力するカラープルーフ作成装置等の出力装置においては、出力されるカラープルーフの色校正を行う目的で、遠隔地にある複数の拠点に設置された出力装置において同一の出力物を出力することが要求されることがある。
【０００３】
このような場合には、各拠点において出力装置から出力される出力物の色彩や濃度を一致させるべく、これら出力装置の色調整を行う必要が生じる。
【０００４】
具体的には、この際、各拠点においては、出力装置から出力される出力物の色彩や濃度を測色計により測定して、その測定値に基づいて、出力物の色彩や濃度を基準値に近似させるように出力装置を調整する作業が行われる。
【０００５】
より詳細には、この際、出力物の色彩や濃度を基準値に近似させるために、出力装置において出力物を出力する際に用いられるプロファイルの内容を更新する作業が行われる。因みに、このように複数のデバイス間におけるカラーマッチングを行うために、それらの間で色変換処理に用いられるプロファイルの内容を更新するという手法は、一般的には“カラーマネージメント”と称されるものであって、これをネットワーク上で実現するものとしては、例えば、特開平１０−２７６２９４号公報に記載されるネットワークサーバ及び画像処理方法（例えば、特許文献１参照）を挙げることができる。
【０００６】
ところで、各拠点においては、通常、別個の測色計が使用されるために、例えば測色計の機種や製造元等が異なる場合には、これら機種や製品等の違いにより、その測定値が必ずしも一致しないという問題が生じる。因みに、このように異なる機種の測色計間において、その測定値の誤差を補正する手法については、これまでにも様々な提案が成されているが（例えば、特許文献２参照）、何れにしても、各拠点においては、測色計の機種や製品に応じた調整作業を行う必要が生じ、大変な手間がかかることになる。
【０００７】
また、各拠点において、同一機種の測色計を使用する場合であっても、当該測色計備えられたフィルタの違いや、当該測色計におけるモード等の設定の違いから、同様に、その測定値が必ずしも一致しないという問題が生じる。因みに、このような場合には、上述のように異なる機種の測色計間において、その測定値の誤差を補正する手法によっては、これを解消することは困難である。
【０００８】
【特許文献１】
特開平１０−２７６２９４号公報
（段落〔００１４〕‐〔００４１〕、第３図乃至第６図、第１９図、第２０図）
【特許文献２】
特開平１１−１３２８４９号公報
（段落〔００１５〕‐〔００５０〕、第１図乃至第５図）
【０００９】
【発明が解決しようとする課題】
即ち、このような状況の下、各拠点において、出力装置から出力される出力物の色彩や濃度を測色計により測定して、その測定値を基に出力装置の調整を行っても、測色計の測定値の誤差は適正に補正されていないために、出力装置の色調整を適正に行うことは困難であった。
【００１０】
本発明は、上記事情に鑑みてなされたものであり、その目的とするところは、拠点毎に設置された画像出力装置から出力される出力物の測定を行う測色計の測定値の誤差を取得し、前記誤差を基に前記画像出力装置の各々において色変換処理を行う際に用いられるファイル、即ち、色変換に関する情報が記述されたプロファイルの内容を更新することで、前記画像出力装置から出力される出力物の色彩や濃度を一致させる色調整を行うことができる色管理システム及びその色管理方法を提供することにある。
【００１１】
【課題を解決するための手段】
上記課題を解決するために、請求項１記載の発明は、拠点毎に設置された画像出力装置から出力される出力物の測定を行う測色計の測定値の誤差を取得し、前記誤差を基に前記画像出力装置の各々において用いられるプロファイルを更新することで、前記画像出力装置の各々の色調整を行うことができる色管理システムであって、前記拠点毎に配置され、前記測色計により測定された出力物の出力物測定値と、前記測色計により測定された色見本の色見本測定値を送信すると共に、前記画像出力装置において前記出力物を出力する際に用いられるプロファイルを送受信する端末装置と、基準となる測色計により測定された前記出力物の測定値を出力物基準値とし、前記基準となる測色計により測定された前記色見本の測定値を色見本基準値として、予め、格納する格納手段と、前記色見本測定値を受けて、これを前記色見本基準値に近似させる補正を行う補正式を導出する補正式導出手段と、前記出力物測定値を受けて、これを前記補正式導出手段により導出された補正式に基づき補正する補正手段と、前記補正された出力物測定値と、前記格納手段に格納された測定物基準値との誤差を算出する算出手段と、前記算出された誤差に基づいて、前記端末装置より受けたプロファイルを補正し、更新するプロファイル更新手段と、前記更新されたプロファイルを当該プロファイルを送信した端末装置へ送信する更新プロファイル送信手段と、を有する管理サーバーと、を備えたことを特徴とする。
【００１２】
上記課題を解決するために、請求項５記載の発明は、拠点毎に設置された画像出力装置から出力される出力物の測定を行う測色計の測定値の誤差を取得し、前記誤差を基に前記画像出力装置の各々において用いられるプロファイルを更新することで、前記画像出力装置の各々の色調整を行うことができる色管理方法であって、前記プロファイルを更新する管理サーバーにて、基準となる測色計により測定された前記出力物の測定値を出力物基準値とし、前記基準となる測色計により測定された色見本の測定値を色見本基準値として、これらが予め格納される格納ステップと、前記拠点毎に配置された端末装置の各々にて、前記測色計により測定された色見本の色見本測定値を送信する色見本測定値送信ステップと、前記管理サーバーにて、前記色見本測定値を受けて、これを前記色見本基準値に近似させる補正を行う補正式を導出する補正式導出ステップと、前記端末装置の各々にて、前記測色計により測定された前記出力物の出力物測定値を送信する出力物測定値送信ステップと、前記管理サーバーにて、前記出力物測定値を受けて、これを前記導出された補正式に基づき補正する補正ステップと、前記補正された出力物測定値と、前記格納ステップにおいて格納された測定物基準値との誤差を算出する算出ステップと、前記端末装置の各々にて、前記画像出力装置において前記出力物を出力する際に用いられるプロファイルを送信するプロファイル送信ステップと、前記管理サーバーにて、前記算出された誤差に基づいて、前記端末装置より受けたプロファイルを補正し、更新するプロファイル更新ステップと、前記更新されたプロファイルを当該プロファイルを送信した端末装置へ送信する更新プロファイル送信ステップと、を含むことを特徴とする。
【００１３】
上記課題を解決するために、請求項９記載の発明は、拠点毎に設置された画像出力装置から出力される出力物の測定を行う測色計の測定値の誤差を、前記拠点毎に配置された端末装置から受けて、前記誤差を基に前記画像出力装置の各々において用いられるプロファイルを管理サーバーにおいて更新することで、前記画像出力装置の各々の色調整を行うことができる色管理方法であって、基準となる測色計により測定された前記出力物の測定値を出力物基準値とし、前記基準となる測色計により測定された色見本の測定値を色見本基準値として、これらが予め格納される格納ステップと、前記端末装置の各々から、前記測色計により測定された色見本の色見本測定値を受けて、これを前記色見本基準値に近似させる補正を行う補正式を導出する補正式導出ステップと、前記端末装置の各々から、前記測色計により測定された前記出力物の出力物測定値を受けて、これを前記導出された補正式に基づき補正する補正ステップと、前記補正された出力物測定値と、前記格納ステップにおいて格納された測定物基準値との誤差を算出する算出ステップと、前記端末装置の各々から、前記画像出力装置において前記出力物を出力する際に用いられるプロファイルを受けて、前記算出された誤差に基づいて、前記端末装置の各々から受けたプロファイルを補正し、更新するプロファイル更新ステップと、前記更新されたプロファイルを当該プロファイルを送信した前記端末装置の各々へ送信する更新プロファイル送信ステップと、を含むことを特徴とする。
【００１４】
【発明の実施の形態】
以下、本発明に係る色管理システム及びその色管理方法の好適な一実施形態について、図面を参照しながら具体的に説明する。
【００１５】
［色管理システムの構成］
まず、本実施形態における色管理システムの構成について、図面を参照しながら詳細に説明する。
【００１６】
（色管理システムの概略構成）
図１に、当該色管理システムのシステム構成を示す。図１に示すように、当該色管理システムは、遠隔地にある複数の拠点毎に設置された出力装置Ｃ１〜Ｃ３の色調整を行うべく、拠点毎に配置され、出力装置Ｃ１〜Ｃ３から出力される出力物の色彩や濃度をそれぞれ測定する測色計Ｓ１〜Ｓ３間の測定値の誤差、より詳細には、測色計Ｓ１〜Ｓ３による測定値と基準となる測色計Ｓ０による測定値との誤差を補正する補正式を導出して、その補正式により出力装置Ｃ１〜Ｃ３から出力される出力物の測色計Ｓ１〜Ｓ３による測定値を補正して、その補正された測定値に基づいて、出力装置Ｃ１〜Ｃ３から出力される出力物の測色計Ｓ１〜Ｓ３による測定値の各出力装置Ｃ１〜Ｃ３間での誤差を算出して、これを補正するように更新されたプロファイルを提供する管理サーバー１と、測色計Ｓ１〜Ｓ３のそれぞれに対応して配置され、出力装置Ｃ１〜Ｃ３から出力された出力物や色見本の測色計Ｓ１〜Ｓ３による測定値と、出力装置Ｃ１〜Ｃ３において出力物を出力する際に用いられたプロファイルを送信すると共に、管理サーバー１において更新された新たなプロファイルを受信して、そのプロファイルを、出力装置Ｃ１〜Ｃ３から出力される出力物の測色計Ｓ１〜Ｓ３による測定値の各拠点間での誤差を補正するプロファイルとして登録する複数の端末装置２ａ〜２ｃと、を含み構成される。
【００１７】
尚、端末装置２ａ〜２ｃは、測色計Ｓ１〜Ｓ３の個数に応じて任意の個数が配置されて良い。また、出力装置Ｃ１〜Ｃ３や測色計Ｓ１〜Ｓ３は、互いに異なる製品や機種であっても良い。また、出力装置Ｃ１〜Ｃ３は、カラープルーフ作成装置の他にも、プリンタ、複写機等の色彩や濃度の調整が可能な出力装置であれば良い。
【００１８】
（管理サーバーの詳細構成）
ここで、管理サーバー１の詳細構成について説明する。管理サーバー１は、所謂、コンピュータ端末であって、モニタ等の表示手段と、キーボードやマウス等の入力手段と、サーバーを含む装置本体と、を備えている。さらに、この装置本体は、基準となる測色計Ｓ０により測定された、出力装置Ｃ１〜Ｃ３から出力された出力物（本発明の「出力物」に対応し、以下、ターゲットと称する）及び測色計補正用カラーチャート（本発明の「色見本」に対応する）Ｐの色彩や濃度に関する測定値を予め基準値として格納する格納部１ａと、端末装置２ａ〜２ｃから送信された測色計Ｓ１〜Ｓ３によるターゲット及び測色計補正用カラーチャートＰの色彩や濃度に関する測定値やプロファイルを受信する受信部１ｂと、この受信部１ｂにより受信された測色計Ｓ１〜Ｓ３による測色計補正用カラーチャートＰの色彩や濃度に関する測定値を、格納部１ａに格納された測色計補正用カラーチャートＰの色彩や濃度に関する基準値に近似させる補正を行うための補正式を導出する補正式導出部１ｃと、この補正式導出部１ｃにより導出された補正式に基づき補正された測色計Ｓ１〜Ｓ３によるターゲットの色彩や濃度に関する測定値と格納部１ａに格納されたターゲットの色彩や濃度に関する基準値との誤差を算出する算出部１ｄと、この算出部１ｄにより算出された測色計Ｓ１〜Ｓ３によるターゲットの色彩や濃度に関する測定値と格納部１ａに格納されたターゲットの色彩や濃度に関する基準値との誤差に基づき、受信部１ｂにより受信されたプロファイルを、その誤差を補正する新たなプロファイルに更新する更新部１ｅと、補正式導出部１ｃにより導出された補正式及び更新部１ｅにより更新されたプロファイルを登録する登録部１ｆと、この登録部１ｆに登録された補正式に関する情報及びプロファイルに関する情報を端末装置２ａ〜２ｃに送信する送信部１ｇと、を含み構成されている。
【００１９】
尚、格納部１ａは、メモリ等の記憶手段により構成され、本発明の「格納手段」に対応する。また、受信部１ｂ及び送信部１ｇは、Ｉ／Ｆにより構成され、送信部１ｇは、本発明の「更新プロファイル送信手段」及び「補正式送信手段」に対応する。また、補正式導出部１ｃ、登録部１ｆ、算出部１ｄ、更新部１ｅは、ＣＰＵ等の演算手段とメモリ等の記憶手段により構成され、各々、ＣＰＵ等の演算手段がメモリ等の記憶手段に格納された所定の演算プログラムを実行することで、後述する処理を行う。補正式導出部１ｃ、算出部１ｄ、更新部１ｅは、各々、本発明の「補正式導出手段」、「補正手段」及び「算出手段」、「プロファイル更新手段」に対応する。
【００２０】
（測色計補正用カラーチャートの構成）
ここで、上述した測色計補正用カラーチャートＰの構成について説明する。測色計補正用カラーチャートＰは、本発明の「色見本」に対応するものであって、具体的には、図２に示すように、例えばＣ、Ｍ、Ｙ、Ｋの４色を各々多階調にて重ね合わせたものが規則的に配置されて、これらが複数の測定点を構成する。即ち、基準となる測色計Ｓ０や測色計Ｓ１〜Ｓ３においては、互いに、同様の測定点を同様の測定順にて測定することとなる。因みに、同図に示すＣ、Ｍ、Ｙ、Ｋの数値は、各色を２５５段階の階調に分けた場合の段階値を示している。尚、当該測色計補正用カラーチャートＰは、経時的な色変動の少ない熱溶融型のハイエンドＤＤＣＰ（Ｄｉｒｅｃｔ  Ｄｉｇｉｔａｌ  Ｃｏｌｏｒ  Ｐｒｏｏｆの略で、デジタルデータを高精度のプリンタに直接出力するシステム）により作成されることが好ましい。
【００２１】
（プロファイルの説明）
また、ここで、上述したプロファイルについて説明する。此処に言う“プロファイル”とは、上述したカラープルーフを出力する出力装置Ｃ１〜Ｃ３の各々において、画像データを出力する際に、その色変換処理を行う際に用いられるファイル（色変換に関する情報が記述されたファイル）のことであって、当該プロファイルは、例えば、これら出力装置Ｃ１〜Ｃ３と印刷物（カラープルーフの対象である最終印刷物）を印刷する図示省略の印刷機間での色変換処理を行う際に用いられるものとなっている。より詳細には、例えば出力装置Ｃ１におけるプロファイルは、当該出力装置Ｃ１において画像データを出力する際に、その色変換処理を行う際に用いられるファイル（出力装置プロファイル）と、印刷物（カラープルーフの対象である最終印刷物）を印刷する図示省略の印刷機において画像データを出力する際に、その色変換処理を行う際に用いられるファイル（以下、印刷機プロファイルと称する）とから構成されており、この印刷機プロファイルを対象として、これを新たなプロファイルに更新することで、出力装置Ｃ１と印刷物（カラープルーフの対象である最終印刷物）を印刷する図示省略の印刷機間でのカラーマッチングを行うことができる。このようなプロファイルの一般的なものとしては、ＩＣＣプロファイルがある。当該ＩＣＣプロファイルは、業界国際標準であるＩＣＣ規格のフォーマットに準拠したプロファイルのことであり、米国アップルコンピュータ社のＭａｃｉｎｔｏｓｈ（登録商標）に採用される標準カラーマネージメントシステムであるＣｏｌｏｒＳｙｎｃ２や、米国マイクロソフト社のＷｉｎｄｏｗｓ（登録商標）に採用される標準カラーマネージメントシステムであるＩＣＭ２．０に適用されているものである。因みに、ＩＣＣ（Ｉｎｔｅｒｎａｔｉｏｎａｌ  ＣｏｌｏｒＣｏｎｓｏｒｔｉｕｍ：インターナショナル  カラーコンソーシアム）とは、コダック、アップル、アグファ、マイクロソフトなど９社で構成する色管理の標準化を図るための協議会のことである。
【００２２】
即ち、当該色管理システムにおいては、上述した管理サーバー１の補正式導出部１ｃが、受信部１ｂにより受信された測色計Ｓ１〜Ｓ３による測色計補正用カラーチャートＰの色彩や濃度に関する測定値を、格納部１ａに格納された測色計補正用カラーチャートＰの色彩や濃度に関する基準値に近似させる補正を行うための補正式を導出して、算出部１ｄが、この補正式導出部１ｃにより導出された補正式に基づき補正された測色計Ｓ１〜Ｓ３によるターゲットの色彩や濃度に関する測定値と格納部１ａに格納されたターゲットの色彩や濃度に関する基準値との誤差を算出して、さらに、更新部１ｅが、この算出部１ｄにより算出された測色計Ｓ１〜Ｓ３によるターゲットの色彩や濃度に関する測定値と格納部１ａに格納されたターゲットの色彩や濃度に関する基準値との誤差に基づき、受信部１ｂにより受信されたプロファイルを、その誤差を補正する新たなプロファイルに更新して、登録部１ｆが、補正式導出部１ｃにより導出された補正式及び更新部１ｅにより更新されたプロファイルを登録して、送信部１ｇが、この登録部１ｆに登録された補正式に関する情報及びプロファイルに関する情報を端末装置２ａ〜２ｃに送信することで、各拠点においては、各ユーザによって、出力装置Ｃ１〜Ｃ３間の色調整が行われると共に、これらカラープルーフを出力する出力装置Ｃ１〜Ｃ３と印刷物（カラープルーフの対象である最終印刷物）を印刷する図示省略の印刷機間でのカラーマッチングが行われることとなる。
【００２３】
（端末装置の詳細構成）
ここで、端末装置２ａ〜２ｃの詳細構成について説明する。但し、当該端末装置２ａ〜２ｃは、何れも同様の構成となっているため、以下においては、端末装置２ａを例に採り説明を行う。
【００２４】
端末装置２ａは、所謂、コンピュータ端末であって、測色計Ｓ１によるターゲット及び測色計補正用カラーチャートＰの色彩や濃度に関する測定値を入力するための入力部２ａａと、この入力部２ａａによって入力された測色計Ｓ１の測定値や後述する読出部２ａｇが出力装置Ｃ１から読み出したプロファイルを、ネットワークＮを介して管理サーバー１へ送信する送信部２ａｂと、管理サーバー１の送信部１ｇから送信された補正式に関する情報及びプロファイル（管理サーバー１の登録部１ｆに登録され、補正式導出部１ｃにより導出された補正式に基づき補正された測色計Ｓ１〜Ｓ３によるターゲットの色彩や濃度に関する測定値と格納部１ａに格納されたターゲットの色彩や濃度に関する基準値との誤差を補正するプロファイル）に関する情報を受信する受信部２ａｃと、この受信部２ａｃにより受信された補正式に関する情報を表示する表示部２ａｄと、この受信部２ａｃにより受信されたプロファイルに関する情報を登録する登録部２ａｅと、当該端末装置２ａと出力装置Ｃ１とを通信ケーブル等の通信手段を介して接続するための接続部２ａｆと、この接続部２ａｆを介して、出力装置Ｃ１が出力物を出力する際に用いたプロファイルを当該出力装置から読み出す読出部２ａｇと、同じく、この接続部２ａｆを介して、出力装置Ｃ１が出力物を出力する際に用いたプロファイルを登録部２ａｅに登録されたプロファイルに書き替える書替部２ａｈと、を含み構成されている。
【００２５】
尚、入力部２ａａは、キーボードやマウス等の入力手段により構成される。また、送信部２ａｂ及び受信部２ａｃは、ネットワークＩ／Ｆにより構成される。また、表示部２ａｄは、モニタ等の表示手段により構成され、本発明の「補正式表示手段」に対応する。また、登録部２ａｅ、読出部２ａｇ及び書替部２ａｈは、ＣＰＵ等の演算手段とメモリ等の記憶手段により構成され、各々、ＣＰＵ等の演算手段がメモリ等の記憶手段に格納された所定の演算プログラムを実行することで、後述する処理を行う。読出部２ａｇ及び書替部２ａｈは、各々、本発明の「プロファイル読出手段」、「プロファイル書替手段」に対応する。また、接続部２ａｆは、通信Ｉ／Ｆより構成される。
【００２６】
尚、端末装置２ａと測色計Ｓ１とは、通信ケーブル等の通信手段を介して接続可能に構成されている。
【００２７】
［色管理方法］
ここで、当該色管理システムにおいて行われる色管理方法について、図３、図４及び図７に示すフローチャートの流れに沿って説明する。但し、以下においては、測色計Ｓ１の測定値の補正を行い、出力装置Ｃ１の色調整を行う場合を例に挙げて説明を行う。
【００２８】
〔格納ステップ〕
図３に示すように、まず、当該測色計測定値管理システムを統括して管理する管理者は、ターゲットを登録する作業を行う。具体的には、そのターゲットに対する測定点の位置や、その測定順に関する情報を、管理サーバー１において、キーボードやマウス等の入力手段、又は、それらが格納されたファイルの登録により入力する（Ｓ０１）。尚、此処に言う“ターゲット”とは、色調を調整する対象となる画像、即ち、印刷物において印刷される画像を出力装置Ｃ１〜Ｃ３により出力した出力物のことを指す。当該ターゲットは、出力装置Ｃ１〜Ｃ３毎に、ユーザから独自のものが送付されることとする他、予め、出力装置Ｃ１〜Ｃ３毎に、標準となるターゲットを用意しておき、これを用いることにしても良い。
【００２９】
次に、管理者は、この入力した測定点の位置や測定順に従って、ターゲットの色彩や濃度を基準となる測色計Ｓ０により測定する（Ｓ０２）。
【００３０】
次に、管理者は、この基準となる測色計Ｓ０により測定されたターゲットの色彩や濃度の測定値を、管理サーバー１において、キーボードやマウス等の入力手段、又は、それらが格納されたファイルの登録により入力する。これにより、ターゲットの色彩や濃度の測定値は、その測定点の位置や、測定順に関する情報と共に、格納部１ａに基準値として格納される（Ｓ０３）。
【００３１】
図４に示すように、次に、管理者は、上述した測色計補正用カラーチャートＰの色彩や濃度を、所定の測定点の位置や測定順に従って、基準となる測色計Ｓ０により測定する（Ｓ０４）。
【００３２】
次に、管理者は、この基準となる測色計Ｓ０により測定された測色計補正用カラーチャートＰの色彩や濃度の測定値を、管理サーバー１において、キーボードやマウス等の入力手段、又は、それらが格納されたファイルの登録により入力する。但し、この際、測色計補正用カラーチャートＰに対する測定点の位置や、その測定順に関する情報も入力する。これにより、測色計補正用カラーチャートＰの色彩や濃度の測定値は、その測定点の位置や、測定順に関する情報と共に、格納部１ａに基準値として格納される（Ｓ０５）。
【００３３】
一方、当該測色計測定値管理システムを利用するユーザは、端末装置２ａにおいて、測色計Ｓ１による測定値を登録する作業を行う。具体的には、まず、ユーザは、端末装置２ａから管理サーバー１にアクセスすることで、例えばＷｅｂ上の所定のサイトに表示される画面にて、所定の事項、具体的には、測色計Ｓ１の測定対象物である測色計補正用カラーチャートＰの郵送先に関する情報（送り先人の住所、氏名、電話番号等）等を入力する。
【００３４】
一方、管理者は、管理サーバー１において、上述したＷｅｂ上の所定のサイトに表示される画面にて、それらの所定の事項を確認して、指定された郵送先に測色計補正用カラーチャートＰを郵送する作業を行う。この際、当該測色計補正用カラーチャートＰの返送先に関する情報（返送先人の住所、氏名、電話番号等）を紙面等により通知する。
【００３５】
一方、ユーザは、測色計補正用カラーチャートＰが到着すると、測色計Ｓ１と端末装置２ａとを通信ケーブル等の通信手段により接続した上で、端末装置２ａから管理サーバー１にアクセスして、上述したＷｅｂ上の所定のサイトに表示される画面にて、所定の測定ツールをダウンロードする作業を行う。尚、この所定の測定ツールとは、測色計Ｓ０により測色計補正用カラーチャートＰの色彩や濃度の測定が行われた際の、当該測色計補正用カラーチャートＰの測定点や測定順に関する情報や、その測定値の送信先が規定された情報等を含むものであって、当該測定ツールは、端末装置２ａを介して測色計Ｓ１に伝達されて、測色計Ｓ１においては、測色計Ｓ０により測色計補正用カラーチャートＰの色彩や濃度の測定が行われた際と同様の測定点を同様の測定順にて測定する（Ｓ０６）。尚、この測定ツールに含まれる情報は、紙面等により通知されて、ユーザが、端末装置２ａ若しくは測色計Ｓ１において、マニュアル操作にて入力することとしても良い。
【００３６】
このようにして、測色計Ｓ１により測色計補正用カラーチャートＰの色彩や濃度が測定されると、さらに、ユーザは、端末装置２ａから管理サーバー１にアクセスすることで、上述したＷｅｂ上の所定のサイトに表示される画面にて、入力部２ａａにより測色計Ｓ１の測定値を入力する作業を行う。尚、この際、測色計Ｓ１の測定値は、端末装置２ａにおいて、これを入力することなく、測色計Ｓ１から送信部２ａｂを介して、直接、管理サーバー１へ送信されるように構成しても良い。
【００３７】
さらに、ユーザは、測色計補正用カラーチャートＰを指定された返送先に返送する作業を行う。
【００３８】
一方、管理サーバー１においては、受信部１ｂが、端末装置２ａの送信部２ａｂから送信された測定値、即ち、測色計Ｓ１による測色計補正用カラーチャートＰの色彩や濃度に関する測定値を受信して、格納部１ａに、これが格納される（Ｓ０７）。
【００３９】
〔補正式導出ステップ〕
次に、管理サーバー１においては、補正式導出部１ｃが、格納部１ａに格納された、基準となる測色計Ｓ０による測色計補正用カラーチャートＰの色彩や濃度に関する各測定点における基準値と、測色計Ｓ１による測色計補正用カラーチャートＰの色彩や濃度に関する各測定点における測定値とに基づいて、測色計Ｓ１による測色計補正用カラーチャートＰの色彩や濃度に関する測定値を基準となる測色計Ｓ０による測色計補正用カラーチャートＰの色彩や濃度に関する基準値に近似させる補正を行うための補正式を導出する（Ｓ０８）。尚、当該補正式導出部１ｃは、この際、例えばＣＩＥ（Ｃｏｍｍｉｓｓｉｏｎ  Ｉｎｔｅｒｎａｔｉｏｎａｌｅ  ｄｅ  ｌ‘Ｅｃｌａｉｒａｇｅ：国際照明委員会）  Ｌ＊ａ＊ｂ＊表色系にて表現された測定値をＸＹＺ（三刺激値）表色系にて表現される測定値へ変換した上で、上述した複数の補正式を導出するものとする。これは、ＸＹＺ（三刺激値）表色系においては、測定値を常に正の値で表現することができ、測定値の補正を行うことが容易になるからである。但し、測色計Ｓ１の構成によっては、測定値がＸＹＺ（三刺激値）表色系にて算出されることがあり、このような場合には、上述した変換を行う必要はなくなる。
【００４０】
（変換手法の詳細）
ここで、上述したＣＩＥ（Ｃｏｍｍｉｓｓｉｏｎ  Ｉｎｔｅｒｎａｔｉｏｎａｌｅ  ｄｅ  ｌ‘Ｅｃｌａｉｒａｇｅ：国際照明委員会）  Ｌ＊ａ＊ｂ＊表色系からＸＹＺ（三刺激値）表色系へ測定値を変換する手法の詳細について、具体的に説明する。
【００４１】
Ｌ＊ａ＊ｂ＊表色系からＸＹＺ（三刺激値）表色系への変換式
例えば、Ｄ５０光源（印刷業界の標準色温度（５０００Ｋ））とした場合、（Ｌ、ａ、ｂ）と（Ｘ、Ｙ、Ｚ）との間には、
ｙ＝（Ｌ＋１６．０）／１１６．０
ｘ＝ａ／５００．０＋ｙ
ｚ＝ｙ−ｂ／２００．０
という関係式が成り立つ。
ここで、ｘｓ０、ｙｓ０、ｚｓ０＞０．００８８５６となる場合には、
ｘｓ０＝ｘ３
ｙｓ０＝ｙ３
ｚｓ０＝ｚ３とし、
また、ｘｓ０、ｙｓ０、ｚｓ０≦０．００８８５６となる場合には、
ｘｓ０＝〔ｘ−（１６．０／１１６．０）〕／７．７８７
ｙｓ０＝｛ｙ−（１６．０／１１６．０）｝／７．７８７
ｚｓ０＝〔ｚ−（１６．０／１１６．０）〕／７．７８７
として、
Ｘ＝ｘｓ０×０．９８０７２
Ｙ＝ｙｓ０×１．０００００
Ｚ＝ｚｓ０×１．１８２２５
に代入すると、Ｘ、Ｙ、Ｚの各要素が適正にＬ、ａ、ｂの値にて表現される。
【００４２】
（演算手法の具体例）
ここで、上述した補正式導出部１ｃにより用いられる演算手法の具体例について説明する。
【００４３】
補正式導出部１ｃは、例えば、特開平１１−１３２８４９号公報（段落〔００１５〕‐〔００５０〕、第１図乃至第５図）に開示される演算手法を含む、以下に記載する種々の演算手法の何れかにより補正式を導出する。
【００４４】
例１）回帰分析にて、２次関数の係数（α、β、γ）を求める手法
まず、Ｘ、Ｙ、Ｚの要素毎に基準となる測色計Ｓ０による測色計補正用カラーチャートＰの色彩や濃度に関する基準値と測色計Ｓ１による測色計補正用カラーチャートＰの色彩や濃度に関する測定値との誤差を求め、図５（Ａ）、（Ｂ）に示すように、測色計Ｓ１による測定値を横軸、基準となる測色計Ｓ０による測定値との誤差を縦軸として、各測定点毎にプロットしてグラフを作成し、各要素毎の測定値誤差の近似曲線を算出する。この近似曲線は、測色計Ｓ１による測定値をＸｕ、Ｙｕ、Ｚｕ、基準となる測色計Ｓ０による測定値との誤差をＤｘ（Ｘｕ）、Ｄｙ（Ｘｕ）、Ｄｚ（Ｚｕ）とすると、以下のように表すことができる。
【００４５】
その１：近似曲線が原点を通るとしたもの（図５（Ａ）に対応する）
Ｄｘ（Ｘｕ）＝Ｘｓ−Ｘｕ＝α（Ｘｕ＋β）２
Ｄｙ（Ｙｕ）＝Ｙｓ−Ｙｕ＝α（Ｘｕ＋β）２
Ｄｚ（Ｚｕ）＝Ｚｓ−Ｚｕ＝α（Ｘｕ＋β）２
ここで、α、βは、同一のサンプル測定における係数である。
【００４６】
その２：近似直線が必ずしも原点を通らないとしたもの（図５（Ｂ）に対応する）
Ｄｘ（Ｘｕ）＝Ｘｓ−Ｘｕ＝αＸｕ２＋βＸｕ＋γ
Ｄｙ（Ｙｕ）＝Ｙｓ−Ｙｕ＝αＹｕ２＋βＹｕ＋γ
Ｄｚ（Ｚｕ）＝Ｚｓ−Ｚｕ＝αＺｕ２＋βＺｕ＋γ
ここで、α、β、γは、同一のサンプル測定における係数である。
【００４７】
上記近似曲線について、Ｘ、Ｙ、Ｚの各要素毎に最小二乗法でα、β、γの値を求め、Ｘｕ＝、Ｙｕ＝、Ｚｕ＝に続く、Ｘｓ、Ｙｓ、Ｚｓの関数となる補正式を導出する。
【００４８】
例２）回帰分析にて、３×３のマトリクス係数（ａ００〜ａ２２）を求める手法
その１：切片なし
2004357162.tif 000003
ここで、Ｘｓ、Ｙｓ、Ｚｓは、基準となる測色計Ｓ０による測色計補正用カラーチャートＰの色彩や濃度に関する基準値であり、Ｘｕ、Ｙｕ、Ｚｕは、測色計Ｓ１による測色計補正用カラーチャートＰの色彩や濃度に関する測定値である。また、ａ００〜ａ２２は、同一のサンプル測定における係数である。
【００４９】
その２：切片あり
2004357162.tif 000004
ここで、Ｘｓ、Ｙｓ、Ｚｓは、基準となる測色計Ｓ０による測色計補正用カラーチャートＰの色彩や濃度に関する基準値であり、Ｘｕ、Ｙｕ、Ｚｕは、測色計Ｓ１による測色計補正用カラーチャートＰの色彩や濃度に関する測定値であり、ａ００〜ａ２２は、同一のサンプル測定における係数であり、ｂ１〜ｂ３は、同一のサンプル測定における定数である。
【００５０】
上記式の各々について、Ｘ、Ｙ、Ｚの各要素毎に、回帰分析によりａ００〜ａ２２やｂ１〜ｂ３の値を求め、以下に示す補正式を導出する。
【００５１】
その１：切片なし
2004357162.tif 000005
【００５２】
その２：切片あり
2004357162.tif 000006
【００５３】
例３）回帰分析にて、１次関数の係数（α、β）を求める手法
まず、Ｘ、Ｙ、Ｚの要素毎に基準となる測色計Ｓ０による測色計補正用カラーチャートＰの色彩や濃度に関する基準値と測色計Ｓ１による測色計補正用カラーチャートＰの色彩や濃度に関する測定値との誤差を求め、図６（Ａ）、（Ｂ）に示すように、測色計Ｓ１による測定値を横軸、基準となる測色計Ｓ０による測定値との誤差を縦軸として、各測定点毎にプロットしてグラフを作成し、各要素毎の測定値誤差の近似直線を算出する。この近似直線は、測色計Ｓ１による測定値をＸｕ、Ｙｕ、Ｚｕ、基準となる測色計Ｓ０による測定値との誤差をＤｘ（Ｘｕ）、Ｄｙ（Ｘｕ）、Ｄｚ（Ｚｕ）とすると、以下のように表すことができる。
【００５４】
その１：近似直線が原点を通るとしたもの（図６（Ａ）に対応する）
Ｄｘ（Ｘｕ）＝Ｘｓ−Ｘｕ＝αＸｕ
Ｄｙ（Ｙｕ）＝Ｙｓ−Ｙｕ＝αＹｕ
Ｄｚ（Ｚｕ）＝Ｚｓ−Ｚｕ＝αＺｕ
ここで、αは、同一のサンプル測定における係数である。
【００５５】
その２：近似直線が必ずしも原点を通らないとしたもの（図６（Ｂ）に対応する）
Ｄｘ（Ｘｕ）＝Ｘｓ−Ｘｕ＝αＸｕ＋β
Ｄｙ（Ｙｕ）＝Ｙｓ−Ｙｕ＝αＹｕ＋β
Ｄｚ（Ｚｕ）＝Ｚｓ−Ｚｕ＝αＺｕ＋β
ここで、α、βは、同一のサンプル測定における係数である。
【００５６】
上記近似直線について、Ｘ、Ｙ、Ｚの各要素毎に最小二乗法でα、βの値を求め、以下に示す補正式を導出する。
その１：近似直線が原点を通るとしたもの（図６（Ａ）に対応する）
Ｘｕ＝Ｘｓ／（α＋１）
Ｙｕ＝Ｙｓ／（α＋１）
Ｚｕ＝Ｚｓ／（α＋１）
【００５７】
その２近似直線が必ずしも原点を通らないとしたもの（図６（Ｂ）に対応する）
Ｘｕ＝（Ｘｓ−β）／（α＋１）
Ｙｕ＝（Ｙｓ−β）／（α＋１）
Ｚｕ＝（Ｚｓ−β）／（α＋１）
【００５８】
ところで、実際においては、上述した例２）と例３）とを比較した場合、基準となる測色計Ｓ０と測色計Ｓ１〜Ｓ３が異なる製品や機種である場合には、例３）による補正式の方が補正精度が良くなる傾向にある。一方、基準となる測色計Ｓ０と測色計Ｓ１〜Ｓ３が同一の製品や機種である場合には、例２）による補正式の方が補正精度が良くなる傾向にある。
【００５９】
図４に戻って、次に、管理サーバー１においては、登録部１ｆが、補正式導出部１ｃにより導出された補正式を登録する（Ｓ０９）。
【００６０】
このように、当該測色計測定値管理システムにおいては、測色計Ｓ１〜Ｓ３による測色計補正用カラーチャートＰの色彩や濃度に関する測定値を基準となる測色計Ｓ０による測色計補正用カラーチャートＰの色彩や濃度に関する基準値に近似させる補正を行うための複数の補正式を導出して、その補正式を登録することができるので、管理者においては、測色計Ｓ１〜Ｓ３の測定値の誤差を適正に管理することができる。
【００６１】
〔補正式送信ステップ〕
ここまでの工程が終了すると、管理サーバー１においては、送信部１ｇが端末装置２ａに対して測色計Ｓ１の測定値の登録、より詳細には、測色計Ｓ１による測色計補正用カラーチャートＰの色彩や濃度に関する測定値を基準となる測色計Ｓ０による測色計補正用カラーチャートＰの色彩や濃度に関する基準値に補正する補正式の登録が完了した旨の通知を行う。
【００６２】
この際、管理サーバー１においては、補正式導出部１ｃが測色計Ｓ１〜Ｓ３による測色計補正用カラーチャートＰの色彩や濃度に関する測定値と基準となる測色計Ｓ０による測色計補正用カラーチャートＰの色彩や濃度に関する基準値との誤差を判断して、例えば、その誤差が規定値よりも大きい場合には、送信部１ｇが登録部１により登録された補正式に関する情報を端末装置２ａに送信する。
【００６３】
〔補正式表示ステップ〕
一方、端末装置２ａにおいては、受信部２ａｃが管理サーバー１の送信部１ｇから送信された当該測色計Ｓ１の登録が完了した旨の通知を受信すると共に、送信があった場合には、補正式に関する情報を受信して、表示部２ａｄが、これら当該測色計Ｓ１の登録が完了した旨と当該測色計Ｓ１の測定値の基準値との誤差を補正する補正式に関する情報と、を表示する。
【００６４】
ここまでの工程が終了すると、ユーザにおいては、管理サーバー１において、測色計Ｓ１の測定値の登録が完了したことを確認することができると共に、送信があった場合には、測色計Ｓ１の測定値の基準値との誤差を補正する補正式に関する情報を取得することができる。よって、それ以降、その補正式に基づいて測色計Ｓ１の測定値を補正することで、基準となる測色計Ｓ０による測定値との誤差を解消することができる。
【００６５】
引き続き当該測色計測定値管理システム及びその測色計測定値管理方法を包含する本発明に係る色管理システム及びその色管理方法について説明する。但し、以下に説明する工程を実施するにあたり、上述した〔補正式送信ステップ〕〜〔補正式表示ステップ〕までの工程は、省略することができる。
【００６６】
図７に示すように、さらに、ユーザは、出力装置Ｃ１の色調整を行うべく、出力装置Ｃ１により、上述したターゲットを出力して（Ｓ１０）、測色計Ｓ１を用いて、そのターゲットの色彩や濃度を測定する（Ｓ１１）。さらに、ユーザは、端末装置２ａから管理サーバー１にアクセスすることで、上述したＷｅｂ上の所定のサイトに表示される画面にて、入力部２ａａにより測色計Ｓ１の測定値を入力する作業を行う。尚、この際、測色計Ｓ１の測定値は、端末装置２ａにおいて、これを入力することなく、測色計Ｓ１から送信部２ａｂを介して、直接、管理サーバー１へ送信されるように構成しても良い。
【００６７】
〔プロファイル読出ステップ〕
また、この際、ユーザは、端末装置２ａの接続部２ａｆと、出力装置Ｃ１とを通信ケーブル等の通信手段により接続する。すると、読出部２ａｇが、出力装置Ｃ１から当該出力装置Ｃ１において上述したターゲットを出力した際に用いられたプロファイルを読み出す。さらに、ユーザは、端末装置２ａから管理サーバー１にアクセスすることで、上述したＷｅｂ上の所定のサイトに表示される画面にて、そのプロファイルを送信する作業を行う。尚、この際、出力装置Ｃ１のプロファイルは、端末装置２ａにおいて、これを送信する作業を行うことなく、出力装置Ｃ１から送信部２ａｂを介して、直接、管理サーバー１へ送信されるように構成しても良い。
【００６８】
一方、管理サーバー１においては、受信部１ｂが、端末装置２ａの送信部２ａｂから送信された測定値、即ち、測色計Ｓ１によるターゲットの色彩や濃度に関する測定値を受信する。その測定値は、登録部１ｆに登録される（Ｓ１２）。
【００６９】
また、この際、管理サーバー１においては、受信部１ｂが、端末装置２ａの送信部２ａｂから送信されたプロファイル、即ち、出力装置Ｃ１において上述したターゲットを出力した際に用いられたプロファイルに関する情報を受信する。
【００７０】
〔補正ステップ〕、〔算出ステップ〕
次に、管理サーバー１においては、算出部１ｄが、この測色計Ｓ１の測定値を、補正式導出部１ｃにより導出された補正式によって補正する（Ｓ１３）。これにより、測色計Ｓ１による測定値と、基準となる測色計Ｓ０による測定値との誤差は解消されることになる。その補正値は、登録部１ｆに登録される（Ｓ１４）。
【００７１】
さらに、算出部１ｄは、Ｓ０３において格納部１ａに基準値として格納されたターゲットの色彩や濃度の特定の測定点における測定値と、Ｓ１３において、登録部１ｆに登録された測色計Ｓ１によるターゲットの色彩や濃度に関する特定の測定点における測定値の補正値とを比較することで、その誤差を算出する。
【００７２】
〔プロファイル更新ステップ〕
さらに、更新部１ｅは、この算出部１ｄが算出した誤差を補正するように、Ｓ０３において受信部１ｂが受信した、端末装置２ａの送信部２ａｂから送信されたプロファイル、即ち、出力装置Ｃ１において上述したターゲットを出力した際に用いられたプロファイルの内容を更新する（Ｓ１６）。
【００７３】
（プロファイルの更新）
ここで、上述したプロファイルの更新について説明する。算出部１ｄは、具体的には、Ｓ０３において格納部１ａに基準値として格納されたターゲットの色彩や濃度の測定値と、Ｓ１３において、登録部１ｆに登録された測色計Ｓ１によるターゲットの色彩や濃度に関する測定値の補正値とを比較することで、その誤差をＣＩＥ  Ｌ＊ａ＊ｂ＊表色系にて表現される値、即ち、ΔＥ値（＝ΔＬ＊、Δａ＊、Δｂ＊）にて算出して、さらに、Ｓ０３において受信部１ｂが受信した、端末装置２ａの送信部２ａｂから送信されたプロファイル、即ち、出力装置Ｃ１において上述したターゲットを出力した際に用いられたプロファイル（例えばＣ、Ｍ、Ｙ、Ｋ→Ｌ＊、ａ＊、ｂ＊の色変換に用いられるプロファイル）の内容を、算出したΔＥ値（＝ΔＬ＊、Δａ＊、Δｂ＊）だけ正反対の方向に向かうベクトルに補正することで、プロファイルの更新を行う。
【００７４】
例）Ｃ、Ｍ、Ｙが各々４０％、Ｋが０％の値において、出力装置Ｃ１において上述したターゲットを出力した際に用いられたプロファイルの内容、より詳細には、抽出したＬ＊、ａ＊、ｂ＊の値が各々［５６、４、５］で、算出したΔＥ値（＝ΔＬ＊、Δａ＊、Δｂ＊）が［＋３、−７、＋２］であった場合
Ｌ＊＝５６−（＋３）→５３
ａ＊＝４−（−７）→１１
ｂ＊＝５−（＋２）→３
となり、更新されたプロファイルの内容、即ち、抽出したＬ＊、ａ＊、ｂ＊の値は、各々［５３、１１、３］となる。
【００７５】
このようにして、更新部１ｅにより更新されたプロファイルは、登録部１ｆに登録される。
【００７６】
〔更新プロファイル送信ステップ〕
この際、管理サーバー１においては、補正式導出部１ｃが測色計Ｓ１〜Ｓ３による測色計補正用カラーチャートＰの色彩や濃度に関する測定値と基準となる測色計Ｓ０による測色計補正用カラーチャートＰの色彩や濃度に関する基準値との誤差を判断して、例えば、その誤差が規定値よりも大きい場合には、送信部１ｇが登録部１により登録された更新されたプロファイルに関する情報を端末装置２ａに送信する。
【００７７】
一方、端末装置２ａにおいては、受信部２ａｃが、これを受信して、登録部２ａｅが、この更新されたプロファイルを登録する。
【００７８】
〔プロファイル書替ステップ〕
さらに、ユーザは、当該端末装置２ａと出力装置Ｃ１とを、接続部２ａｆにより通信ケーブル等の通信手段を介して接続する。すると、書替部２ａｈが、出力装置Ｃ１のプロファイルを、登録部２ａｅに登録された、更新されたプロファイルに書き替える。これにより、出力装置Ｃ１に関して、その出力物の色彩や濃度を所定の値に近似させる色調整が適正に行われる。
【００７９】
尚、ここまでの工程を他の拠点に配置された測色計Ｓ２、Ｓ３及び出力装置Ｃ２、Ｃ３に関しても、同様に、各々のユーザが行うことで、全ての拠点に配置された出力装置Ｃ１〜Ｃ３に関して、その出力物の色彩や濃度を所定の値に近似させる色調整を適正に行うことができる。これにより、各拠点に設置された出力装置Ｃ１〜Ｃ３においては、同一の色彩や濃度を有する出力物を出力することが可能となる。
【００８０】
以上に説明したように、本実施形態における測色計測定値管理システム及びその測色計測定値管理方法によれば、管理サーバー１の補正式導出部１ｃが、格納部１ａに格納された基準となる測色計Ｓ０による測色計補正用カラーチャートＰの色彩や濃度に関する基準値と、受信部１ｂにより受信された測色計Ｓ１〜Ｓ３による測色計補正用カラーチャートＰの色彩や濃度に関する測定値とに基づいて、測色計Ｓ１〜Ｓ３による測色計補正用カラーチャートＰの色彩や濃度に関する測定値を基準となる測色計Ｓ０による測色計補正用カラーチャートＰの色彩や濃度に関する基準値に近似させる補正を行うための補正式を導出して、必要に応じて、送信部１ｇが登録部１により登録された補正式に関する情報を端末装置２ａに送信するので、管理者においては、測色計Ｓ１〜Ｓ３の測定値の誤差を適正に管理することができると共に、ユーザにおいては、各拠点において、その補正式に従って測色計Ｓ１〜Ｓ３の測定値の補正を行い、その補正された測定値に基づいて出力装置Ｃ１〜Ｃ３の調整を行うことで、複数の拠点に設置された出力装置Ｃ１〜Ｃ３の色調整を適切に行うことができる。
【００８１】
さらに、本実施形態における色管理システム及びその色管理方法によれば、管理サーバー１の算出部１ｄが、測色計Ｓ１〜Ｓ３によるターゲットの色彩や濃度に関する測定値を補正式導出部１ｃが導出した補正式により補正した補正値と、基準となる測色計Ｓ０によるターゲットの色彩や濃度に関する基準値との誤差を算出して、更新部１ｅが、この算出部１ｄが算出した誤差を補正するように、受信部１ｂが受信した、端末装置２ａの送信部２ａｂから送信されたプロファイル、即ち、出力装置Ｃ１において上述したターゲットを出力した際に用いられたプロファイルの内容を更新して、さらに、送信部１ｇが、その更新されたプロファイルに関する情報を端末装置２ａ〜２ｃに送信するので、管理者においては、測色計Ｓ１〜Ｓ３の測定値の誤差をより詳細に管理することができると共に、ユーザにおいては、各拠点において、その更新された新たなプロファイルの内容に出力装置Ｃ１〜Ｃ３のプロファイルを書き替える作業を行うことで、複数の拠点に設置された出力装置Ｃ１〜Ｃ３の色調整を適切に行うことができる。
【００８２】
尚、本発明に係る測色計測定値管理システム及びその測色計測定値管理方法、色管理システム及びその色管理方法は、以上に説明した実施形態に限定されるものではなく、その要旨を逸脱することのない範囲内で、種々の変形が可能である。
【００８３】
例えば、上述した実施形態における色管理システム及びその色管理方法においては、基準となる測色計Ｓ０及び測色計Ｓ１〜Ｓ３は、その測定値がＣＩＥ  Ｌ＊ａ＊ｂ＊表示系、若しくは、ＸＹＺ表示系にて算出されることとしたが、この他にも、例えばＣＩＥ  Ｌ＊ｕ＊ｖ＊表示系等にて算出されることとしても良い。
【００８４】
また、測色計補正用カラーチャートＰは、ＤＣＣＰにより出力されることが好ましい旨を記載したが、この他にも、例えばプリンタや複写機等の出力装置により出力することとしても良い。
【００８５】
また、測色計補正用カラーチャートＰは、１つのものを各拠点に配置された測色計Ｓ１〜Ｓ３に対して、各々、郵送することとしたが、この他にも、１つのものを測色計Ｓ１〜Ｓ３に巡回させる。或いは、同一の色彩及び濃度に管理された複数を測色計Ｓ１〜Ｓ３に対して、各々、郵送することとしても良い。
【００８６】
また、測色計補正用カラーチャートＰは、全ての階調を測定対象とするのではなく、例えば、人の皮膚の色に近い色を再現する領域部分に限って、その測定を行うことにしても良い。
【００８７】
また、測色計補正用カラーチャートＰは、Ｃ、Ｍ、Ｙ、Ｋの少なくとも１つを含み、２以上を含む場合には、少なくとも１つの階調を段階的に変化させて、残りは一定とした複数色からなるカラーチャートであれば良い。
【００８８】
【発明の効果】
以上に説明したように、本発明に係る色管理システム及び色管理方法によれば、管理サーバーにおいて、基準となる測色計による色見本の色彩や濃度に関する基準値と、各拠点に配置された測色計による色見本の色彩や濃度に関する測定値とに基づいて、各拠点に配置された測色計による色見本の色彩や濃度に関する測定値を基準となる測色計による色見本の色彩や濃度に関する基準値に近似させる補正を行うための補正式が導出されて、その補正式に関する情報が各拠点に配置された端末装置に送信されるので、管理者においては、各拠点に配置された測色計の測定値の誤差を適正に管理することができると共に、ユーザにおいては、各拠点において、その補正式に従って測色計の測定値の補正を行い、その補正された測定値に基づいて出力装置の調整を行う構成としたので、複数の拠点に設置された出力装置の色調整を適切に行うことができる。
【００８９】
さらに、本実施形態における色管理システム及びその色管理方法によれば、管理サーバーにおいて、各拠点に配置された測色計による出力物の色彩や濃度に関する測定値を上述した補正式により補正した補正値と、基準となる測色計による出力物の色彩や濃度に関する基準値との誤差が算出されて、その誤差を補正するように、各拠点に配置された端末装置から送信されたプロファイル、即ち、各拠点に設置された出力装置において上述した出力物を出力した際に用いられたプロファイルの内容が更新されて、さらに、その更新されたプロファイルに関する情報が各拠点に配置された端末装置に送信されるので、管理者においては、各拠点に配置された測色計の測定値の誤差をより詳細に管理することができると共に、ユーザにおいては、各拠点において、その更新された新たなプロファイルの内容に出力装置のプロファイルを書き替える作業を行う構成としたので、複数の拠点に設置された出力装置の色調整を適切に行うことができる。
【図面の簡単な説明】
【図１】本発明に係る色管理システムのシステム構成を示す説明図である。
【図２】測色計補正用カラーチャートの構成を示す説明図である。
【図３】図１に示す色管理システムの管理サーバーにおいて、基準となる測色計によって測定されたターゲットの測定値が登録される流れを説明するためのフローチャートである。
【図４】図１に示す色管理システムにおいて、一拠点に配置された測色計によって測定された測色計補正用カラーチャートの測定値が登録されて、これを基準となる測色計によって測定された測色計補正用カラーチャートの測定値に近づけるための補正式が導出されて、その補正式が登録されるまでの流れを説明するためのフローチャートである。
【図５】図１に示す色管理システムの補正式導出部において、回帰分析により、補正式である２次関数の係数が求められる過程を説明するための説明図である。
【図６】図１に示す色管理システムの補正式導出部において、回帰分析により、補正式である１次関数の係数が求められる過程を説明するための説明図である。
【図７】図１に示す色管理システムにおいて、一拠点に配置された測色計によって測定されたターゲットの測定値が登録されて、その測定値を補正式導出部において導出された補正式によって補正した値と、基準となる測色計によって測定されたターゲットの測定値との誤差が算出されて、その誤差を補正するようにプロファイルの内容が更新されるまでの流れを説明するためのフローチャートである。
【符号の説明】
１  管理サーバー
１ａ  格納部
１ｂ  受信部
１ｃ  補正式導出部
１ｄ  算出部
１ｅ  更新部
１ｆ  登録部
１ｇ  送信部
２ａ〜２ｃ  端末装置
２ａａ  入力部
２ａｂ  送信部
２ａｃ  受信部
２ａｄ  表示部
２ａｅ  登録部
２ａｆ  接続部
２ａｇ  読出部
２ａｈ  書替部
Ｃ１〜Ｃ３  出力装置
Ｎ  ネットワーク
Ｐ  測色計補正用カラーチャート
Ｓ０  基準となる測色計
Ｓ１〜Ｓ３  測色計
【図１】
2004357162.tif 000007
【図２】
2004357162.tif 000008
【図３】
2004357162.tif 000009
【図４】
2004357162.tif 000010
【図５】
2004357162.tif 000011
【図６】
2004357162.tif 000012
【図７】
2004357162.tif 000013